【事件の表示】
　特願２００４−２４３７７０「画像形成装置の原稿給紙装置、及びそれを備えた画像形成装置」拒絶査定不服審判事件〔平成１８年　３月　９日出願公開、特開２００６−　６２７６１〕について、次のとおり審決する。
【結　論】
　本件審判の請求は、成り立たない。
【理　由】
第１．手続の経緯
　本願は，平成１６年８月２４日の出願であって，平成２０年２月１３日付けで拒絶査定がなされ，これに対し，同年３月２１日に拒絶査定不服審判の請求がなされたものである。
　
第２．原査定
　原査定における拒絶の理由は，以下のとおりのものと認める。
　「この出願の請求項１〜５に係る発明は，その出願前に日本国内又は外国において，頒布された下記１〜３の刊行物に記載された発明又は電気通信回線を通じて公衆に利用可能となった発明に基いて，その出願前にその発明の属する技術の分野における通常の知識を有する者が容易に発明をすることができたものであるから，特許法第２９条第２項の規定により特許を受けることができない。
　１．特開平１１−２３７７７０号公報
　２．特開２００１−７２２５７号公報
　３．特開平４−２８０７３４号公報　」
　上記刊行物のうち特開平１１−２３７７７０号公報を，以下，「引用文献１」という。
　
第３．当審の判断
１．本願発明
　本願の請求項１に係る発明（以下，「本願発明」という）は，平成１９年１２月５日付けで補正された特許請求の範囲の請求項１に記載された事項により特定される，以下のとおりのものである。
　「所定の入力操作が可能な入力操作部を有する画像形成装置に設けられ，原稿読取位置に向けて原稿を給紙するための原稿給紙装置であって，前記原稿が載置可能でありかつ前記原稿の積載方向に可動なリフト板を有する原稿載置部と，前記リフト板に載置された原稿を給紙可能な給紙部と，前記リフト板に前記原稿が載置されると前記原稿が前記給紙部に当接するよう前記リフト板を上昇させるとともに，前記入力操作部に対する入力操作が行われてから所定時間の間に次の入力操作が行われなかった場合に，上昇させた前記リフト板を下降させることが可能なリフト板駆動部と，を備えた原稿給紙装置。」
　
２．引用刊行物記載事項
（１）引用文献１には，図面とともに次の事項が記載されている。
（１−ａ）
　「【０００１】
【発明の属する技術分野】本発明は，複写機等の画像形成装置に搭載された原稿給紙装置及び原稿給紙方法に関する。」
（１−ｂ）
　「【００１４】
【発明の実施の形態】以下，本発明の実施の一形態を図面により説明する。図１は，本発明の第１の実施の形態を示す原稿給紙装置の構成図，図２は図１の原稿給紙装置をリフトアップする機構を示す図，図３は図１の原稿給紙装置の回路構成図である。本実施形態においては，原稿給紙装置（以下，ＤＦと記す）１は複写機等の画像形成装置（以下，本体と呼ぶ）２に搭載されている。そのＤＦ１は，給紙／分離機構を含む給紙部４０，搬送部５０，及び排紙部６０からなり，また，本体２の操作部のコピースタートボタン（図示せず）の押下により，本体２側から送信されたコピースタート信号（図３に示す給紙開始信号）を受信入力する入力手段（図示せず）を有する。
【００１５】前記給紙部４０には，シート状の原稿５を積み重ねた状態で収容する収容手段（＝給紙テーブル６），給紙テーブル６に原稿がセットされたことを検知する原稿検知手段（＝原稿セットセンサ２１），給紙テーブル６に収容された最上位の原稿に当接し，その原稿を給紙する呼び出し手段（＝呼び出しコロ８），給紙テーブル６に収容された原稿５の先端側を持ち上げ，呼び出しコロ８に最上位の原稿が当接する位置まで上昇する原稿持ち上げ手段（＝底板７）等を有する。その底板７は，図３に示すように，ＣＰＵ２９が，各センサ１４，１５，２１，２７からの検知情報を得て，モータドライバ（Ｔｒアレイ）を介し底板上下用モータ（本実施形態ではステッピングモータにて構成）３３を駆動制御することによって，上昇下降するものである。また，ＣＰＵ２９の制御により，前記呼び出しコロ８，分離ベルト９，分離コロ１０，第１搬送ローラ１１，及び第２搬送ローラ１２は，給紙モータ（本実施形態ではステッピングモータにて構成）３０にて駆動される。」
（１−ｃ）
　「【００１９】一方，本体２には，露光部があり，第１ミラー３とランプ４が所定位置に移動して，コンタクトガラス１９上に搬送されてセットされた原稿５の画像データをＣＣＤ等で読み取るように構成されている。また，本体２に搭載されたＤＦ１はヒンジ２３を支点に開閉（リフトアップ，リフトダウン）するように構成され，リフトアップ状態の検知は，ＤＦ１側のリフトアップセンサ２７にて行うものとする。
【００２０】次に，本実施形態におけるＤＦ１の動作について述べる。給紙テーブル６に積載され，給紙側端が原稿突き当て部材２２に当接するようにセットされた原稿５は，底板上下用モータ３３の駆動による底板７の上昇に伴って上方へ移動し，呼び出しコロ８により加圧される。 その呼び出しコロ８が回転することによって，原稿５の最上位から，分離ベルト９及び分離コロ１０で構成された分離機構へ給紙する。その分離機構で１枚ずつ分離された原稿は，第１搬送ローラ１１，第２搬送ローラ１２，及び搬送ベルト１３でコンタクトガラス１９へ搬送され，前記露光部の露光でＣＣＤ等の光学素子により画像データが読み取られる。」
（１−ｄ）
　「【００２２】次に，本実施形態における原稿給紙方法（底板７の上昇制御）について，図４を用いて説明する。本実施形態では，底板７の上昇動作について第１及び第２の動作モードを有する。これらの動作モードは，本体２の操作部にある底板動作モード入力部（図示せず）より，オペレータが任意に何れかを選択して設定する。第１の動作モードにおいては，給紙テーブル６に原稿５がセットされたことが，原稿セットセンサ２１により検知され（ステップ４０１のＹＥＳ），第１の動作モードが選択されている場合は（ステップ４０２のａ），原稿セット検知後，底板上下用モータ３３の駆動で直ちに底板７が上昇し，それに伴って原稿５が持ち上げられ（ステップ４０４），呼び出しコロ８に当接して加圧される。さらに，オペレータにより前記スタートボタンが押下されるまで，底板７は上昇したままで呼び出しコロ８に加圧されているので，前記スタートボタンの押下により給紙開始信号がＤＦ１に入力されると直ちに給紙動作を開始できる。」
（１−ｅ）
　「【００２４】次に，本発明の第２の実施の形態における原稿給紙方法（底板７の下降制御）について，図５を用いて説明する。なお，装置構成については第１の実施の形態と概ね同様である。本実施形態においては，前記第１の動作モードにおいて，原稿５がセットされ底板７が上昇した状態で，前記リフトアップ手段によりＤＦ１がリフトアップされた場合は，底板７の下降を抑制するように制御する機能を有する。すなわち，前記第１の動作モードで原稿５が給紙テーブル６にセットされ（ステップ５０１のＮＯ），底板７が上昇した状態で，ＤＦ１にＪＡＭが発生した場合（ステップ５０３のＹＥＳ），給紙カバー２４または排紙カバー２５が開いた場合（ステップ５０４のＹＥＳ），本体２が予熱モードあるいは低電力モードに移行した場合（ステップ５０５のＹＥＳ），その他原稿の再セットが予測される場合（ステップ５０６のＹＥＳ）について，ＤＦ１がリフトダウンしている場合（ステップ５０２のＮＯ）には，底板７は呼び出しコロ８に当接する位置から再び原稿セット前の所定位置まで下降する（ステップ５０７）。なお，原稿５が給紙テーブル２０から取り出された場合にも底板７は下降する。」
　
　記載事項（１−ｅ）において説明された，第２の実施の形態における底板７の下降制御は，記載事項（１−ｄ）において説明された実施形態（第１の実施の形態）における底板７の上昇制御，すなわち「第１の動作モードが選択されている場合は（ステップ４０２のａ），原稿セット検知後，底板上下用モータ３３の駆動で直ちに底板７が上昇し，それに伴って原稿５が持ち上げられ（ステップ４０４），呼び出しコロ８に当接して加圧される。」との制御を行った上でさらに行う制御であると解される。したがって，記載事項（１−ａ）〜（１−ｅ）及び図面の記載を総合すると，引用文献１には，次の発明（以下，「引用発明」という。）が記載されているといえる。
　「複写機等の画像形成装置に搭載された原稿給紙装置であって，画像形成装置本体２には操作部が設けられ，原稿給紙装置の給紙部４０は，原稿５を積み重ねた状態で収容する給紙テーブル６，給紙テーブル６に原稿がセットされたことを検知する原稿セットセンサ２１，給紙テーブル６に収容された最上位の原稿に当接してその原稿を給紙する呼び出しコロ８，給紙テーブル６に収容された原稿５の先端側を持ち上げて呼び出しコロ８に最上位の原稿が当接する位置まで上昇する底板７を有し，底板７は底板上下用モータ３３により上昇下降するものであり，下記の〈底板７の上昇制御〉及び〈底板７の下降制御〉が行われ，呼び出しコロ８により加圧された原稿５は，呼び出しコロ８の回転によって，分離ベルト９及び分離コロ１０で構成された分離機構へ給紙され，１枚ずつ分離された後，第１搬送ローラ１１，第２搬送ローラ１２及び搬送ベルト１３によりコンタクトガラス１９へ搬送され，画像形成装置本体２の露光部において画像データが読み取られるようにした原稿給紙装置。
〈底板７の上昇制御〉
　第１の動作モードが選択されている場合，給紙テーブル６に原稿５がセットされたことが原稿セットセンサ２１により検知されると，直ちに底板７が上昇し，原稿５が持ち上げられ，呼び出しコロ８に当接加圧される。
〈底板７の下降制御〉
　第１の動作モードで原稿５が給紙テーブル６にセットされ，底板７が上昇した状態で，画像形成装置本体２が予熱モードあるいは低電力モードに移行した場合など，原稿の再セットが予測される場合について，原稿給紙装置がリフトダウンしている場合は，底板７は呼び出しコロ８に当接する位置から再び原稿セット前の所定位置まで下降する。」
　
（２）周知技術として引用する，特開２００４−１４５０８６号公報（公開日平成１６年５月２０日；以下，「引用文献２」という。）には，次の事項が記載されている。
（２−ａ）
　「【０００２】
【従来の技術】従来より，複写機等の画像形成装置には省エネモード（予熱モード）が設けられている。省エネモードとは，一般的には，表示部を消灯し，定着部の制御温度を印刷時の温度よりも下げて消費電力を節約する機能である。通常，この省エネモードは所定のキー操作又は一定時間操作されないときに稼働するように設定されている。」
　
（３）同じく周知技術として引用する特開平８−６３０５１号公報（以下，「引用文献３」という。）には，次の事項が記載されている。
（３−ａ）
　「【請求項１】 画像形成動作終了後もしくはキー操作終了後一定時間が経過すると装置各部への電力供給を低減もしくは遮断して電力消費の低減を図る省電力モードを有する画像形成装置において，」
　
３．対比・判断
　本願発明と引用発明とを対比する。
　引用発明の「操作部」，「給紙テーブル６」，「呼び出しコロ８，分離ベルト９及び分離コロ１０」及び「底板上下用モータ３３」は，その構成または機能からみて，それぞれ本願発明の「所定の入力操作が可能な入力操作部」，「原稿載置部」，「リフト板に載置された原稿を給紙可能な給紙部」及び「リフト板駆動部」に相当する。
　引用発明の原稿給紙装置は，原稿５をコンタクトガラス１９へ搬送し，画像形成装置本体２の露光部において画像データが読み取られるようにしたものであるから，本願発明の「原稿読取位置に向けて原稿を給紙するための原稿給紙装置」との要件を備え，また，引用発明は，給紙テーブル６に収容された原稿５の先端側を持ち上げて上昇する底板７を有するから，「原稿の積載方向に可動なリフト板を有する原稿載置部」との要件を備える。さらに，引用発明は，給紙テーブル６に原稿５がセットされたことが原稿セットセンサ２１により検知されると，直ちに底板７が上昇し，原稿５が持ち上げられ，呼び出しコロ８に当接加圧されるという制御を行うものであるから，「リフト板に原稿が載置されると原稿が給紙部に当接するようリフト板を上昇させる」との要件を備える。
　したがって，本願発明と引用発明は，本願発明の表記にしたがえば，
　「所定の入力操作が可能な入力操作部を有する画像形成装置に設けられ，原稿読取位置に向けて原稿を給紙するための原稿給紙装置であって，前記原稿が載置可能でありかつ前記原稿の積載方向に可動なリフト板を有する原稿載置部と，前記リフト板に載置された原稿を給紙可能な給紙部と，前記リフト板に前記原稿が載置されると前記原稿が前記給紙部に当接するよう前記リフト板を上昇させるリフト板駆動部とを備えた原稿給紙装置。」である点で一致し，次の点で相違する。
［相違点］
　本願発明は，入力操作部に対する入力操作が行われてから所定時間の間に次の入力操作が行われなかった場合に，上昇させたリフト板を下降させることが可能であるのに対して，引用発明は，画像形成装置が予熱モードあるいは低電力モードに移行した場合など，原稿の再セットが予測される場合に，上昇させた底板７を下降させることが可能である点。
　
　上記相違点について検討する。
　引用発明は，画像形成装置が予熱モードあるいは低電力モードに移行した場合，上昇させた底板７を下降させることが可能であるところ，画像形成装置において，一定時間入力操作が行われないことを条件として，予熱モードや低電力モードに移行させることは，引用文献２や引用文献３に示されるように（記載事項（２−ａ）及び（３−ａ）参照），従来からよく知られているから，引用発明における，上昇させた底板７を下降させる制御を，一定時間入力操作が行われないことを条件として行うこと，すなわち上記相違点は，この周知技術を参酌することにより，当業者が容易に想到し得たことである。
　したがって，本願発明は，引用発明及び周知技術に基づいて，当業者が容易に発明できたものである。
　
４．むすび
　以上のとおり，本願発明は，引用発明及び周知技術に基づいて，当業者が容易に発明できたものであって，特許法第２９条第２項の規定により特許を受けることができないから，本願の他の請求項に係る発明について検討するまでもなく，本願は拒絶されるべきものである。
　したがって，原査定は妥当であり，結論のとおり審決する。